(57)【特許請求の範囲】
【請求項１】
加圧パンツであって、
膨張することで前記加圧パンツの着用者の下半身を加圧する膨張体と、
前記加圧パンツの第１箇所と、前記第１箇所に離間した第２箇所とに固定され、前記膨張体の少なくとも一部が通るループを形成する紐体と、を備え、
前記膨張体が膨張したときに、前記紐体の前記ループを押し拡げる力を作用させて、前記第１箇所と前記第２箇所とを、両者の離間距離を小さくする方向に引っ張る構造とした、
ことを特徴とする加圧パンツ。
【請求項２】
前記紐体は、前記加圧パンツに複数本配列されて取り付けられており、
前記膨張体の前記少なくとも一部は、前記紐体の配列方向に沿って延び、複数本の該紐体の前記ループを通り、
前記離間距離を小さくする方向は、前記紐体に通される前記膨張体の前記少なくとも一部が延びる方向と直交しない方向である、
ことを特徴とする請求項１に記載の加圧パンツ。
【請求項３】
前記膨張体は、膨張することで前記加圧パンツの着用者の下半身である下腹部、右脚、又は、左脚を加圧対象として加圧する複数の膨張部を有し、
当該複数の膨張部は、前記下半身の前記加圧対象の周方向に沿って配列されている、
ことを特徴とする請求項１又は２に記載の加圧パンツ。
【請求項４】
前記複数の膨張部は、１つの袋状の膨張体を、当該膨張体を構成する表地と裏地とを接合して分割した各部分である、
ことを特徴とする請求項３に記載の加圧パンツ。
【請求項５】
前記膨張体が膨張した際に、前記加圧パンツの外側への膨らみを抑制する補強布を備え、
前記補強布は、縦糸、横糸、及び前記縦糸と前記横糸の交差部を接続する斜糸により構成されている、
ことを特徴とする請求項１〜４のいずれか１項に記載の加圧パンツ。
【請求項６】
前記補強布は、前記膨張体よりも外側に配されている、
ことを特徴とする請求項５に記載の加圧パンツ。
【発明の詳細な説明】
【技術分野】
【０００１】
本発明は、加圧パンツに関する。
【背景技術】
【０００２】
上記加圧パンツとして、例えば、航空機（特に戦闘機）の操縦士が着用する加圧パンツがある。
【０００３】
特許文献１には、飛行中に操縦士に加速度Ｇが付加された際、下半身に配された気嚢（膨張体）に空気を供給して下半身を加圧する耐Ｇスーツが開示されている。この耐Ｇスーツは、気嚢に空気を供給する空気供給ホースの長さを適宜変更することができるため、意図せず空気供給ホースが空気供給排気装置から離脱することを防止でき、操縦士の下半身を適切に加圧することができる。
【先行技術文献】
【特許文献】
【０００４】
【特許文献１】特開２００８−１２９５８号公報
【発明の概要】
【発明が解決しようとする課題】
【０００５】
特許文献１に記載の耐Ｇスーツにおいては、空気を気嚢に供給して、操縦士の下半身を加圧することが可能であるが、操縦士の下半身をより効果的に加圧できるものが望まれている。なお、このようなことは、下半身を加圧する加圧パンツ一般に言える。
【０００６】
本発明は、着用者の下半身を効果的に加圧することができる加圧パンツを提供することを目的とする。
【課題を解決するための手段】
【０００７】
上記目的を達成するため、本願の第１の観点に係る加圧パンツは、膨張することで前記加圧パンツの着用者の下半身を加圧する膨張体と、前記加圧パンツの第１箇所と、前記第１箇所に離間した第２箇所とに固定され、前記膨張体の少なくとも一部が通るループを形成する紐体と、を備え、前記膨張体が膨張したときに、前記紐体の前記ループを押し拡げる力を作用させて、前記第１箇所と前記第２箇所とを、両者の離間距離を小さくする方向に引っ張る構造とした、ことを特徴とする。
【０００８】
前記紐体は、前記加圧パンツに複数本配列されて取り付けられており、前記膨張体の前記少なくとも一部は、前記紐体の配列方向に沿って延び、複数本の該紐体の前記ループを通り、前記離間距離を小さくする方向は、前記紐体に通される前記膨張体の前記少なくとも一部が延びる方向と直交しない方向であってもよい。
【０００９】
前記膨張体は、膨張することで前記加圧パンツの着用者の下半身である下腹部、右脚、又は、左脚を加圧対象として加圧する複数の膨張部を有し、当該複数の膨張部は、前記下半身の前記加圧対象の周方向に沿って配列されている、ようにしてもよい。
【００１０】
前記複数の膨張部は、１つの袋状の膨張体を、当該膨張体を構成する表地と裏地とを接合して分割した各部分であってもよい。
【００１１】
前記加圧パンツは、前記膨張体が膨張した際に、前記加圧パンツの外側への膨らみを抑制する補強布を備え、前記補強布は、縦糸、横糸、及び前記縦糸と前記横糸の交差部を接続する斜糸により構成されている、ようにしてもよい。
【００１２】
前記補強布は、前記膨張体よりも外側に配されていてもよい。
【発明の効果】
【００１３】
本発明によれば、着用者の下半身を効果的に加圧することができる加圧パンツを提供することができる。
【図面の簡単な説明】
【００１４】
【図１】本発明の実施形態に係る加圧パンツを着用した者が、航空機の操縦席に着いた状況を示した概略図。
【図２】本発明の実施形態に係る加圧パンツを、前方からみた正面図。
【図３】本発明の実施形態に係る加圧パンツを図２中の矢印ＩＩＩからみた展開図。
【図４】本発明の実施形態に係る膨張した加圧パンツを、矢視ＩＶ−ＩＶからみた断面図。
【図５】本発明の実施形態に係る加圧パンツに用いられた補強布を示した概略図。
【図６】図３中の“ＶＩ部”に着目した図であり、（ａ）は膨張体が取り外されている状態、（ｂ）は収縮した膨張体が取り付けられている状態、（ｃ）は取り付けられた膨張体が膨張している状態を示した図。
【発明を実施するための形態】
【００１５】
以下、本発明の実施形態に係る加圧パンツについて、図面を参照しながら説明する。
【００１６】
図１は、本実施形態に係る加圧パンツ１００を着用した者が、航空機の操縦席に着いた状況を示した概略図である。図１に示すように、ヘルメット３、上衣４、及び加圧パンツ１００を着用した着用者２は、操縦席１に着き航空機（不図示）を操縦する。加圧パンツ１００は、先端にコネクタ１１１が取り付けられた給排気ホース１１０を有する。また、航空機内の給排気装置（不図示）には、先端にコネクタ１１２が取り付けられた給排気ホース１１３が接続されている。これらのコネクタ１１１及びコネクタ１１２が連結されることにより、給排気ホース１１０及び給排気ホース１１３が接続する。これにより、給排気装置（不図示）によって、給排気ホース１１０及び給排気ホース１１３を介して、加圧パンツ１００の内部に空気を供給し、あるいは、加圧パンツ１００の内部の空気を外部へ排出することができる。
【００１７】
次に、加圧パンツ１００の構造詳細について説明する。図２は、加圧パンツ１００を、前方からみた正面図である。図３は、加圧パンツ１００を図２中の矢印ＩＩＩからみた展開図である。なお、図２に示す加圧パンツ１００は、加圧パンツ１００の前身頃１０５を示しており、前身頃１０５内に配置された膨張体１２０を破線で示している。また、加圧パンツ１００は、その両サイド（着用者２（図１）両脚の外側面部）が、線ファスナ１０７により前身頃１０５と後身頃１０６とが留められて使用される。図３においては、線ファスナ１０７をひらき、加圧パンツ１００内部が視認できるように前身頃１０５と後身頃１０６とを開いた状態で示している。なお、加圧パンツ１００は、線ファスナ１０７によって前身頃１０５と後身頃１０６とを留めることにより、着用者２（図１）の脚を入れるための筒部１０８が形成される。なお、加圧パンツ１００は、左右ほぼ同様の構成をしているため、以下の説明では、着用者２（図１）が左脚を通す部分、すなわち、加圧パンツ１００の図２中右側の部分について説明する。
【００１８】
図２に示すように、加圧パンツ１００は、長ズボンのような形状をしており、着用者２（図１）が、両脚それぞれを対応する筒部１０８に通して着用する。加圧パンツ１００は、上述したように、着用者２の前側を覆う前身頃１０５と、着用者２の後側を覆う後身頃１０６とにより、外観が概略構成されている。
【００１９】
前身頃１０５には、加圧パンツ１００着用者２のひざに対応する箇所に第１開口１０５ａが形成されているとともに、着用者２の股に対応する箇所に第２開口１０５ｂが形成されている。また、後身頃１０６には、加圧パンツ１００の着用者２のひざ裏部に対応する箇所に第１開口１０６ａが形成されている。これにより、加圧パンツ１００の着用者２の関節部分を抑圧することを防止することができるため、着用者２の動きやすさを十分に確保することができる。また、着用者２の適切な部分に加圧することが可能となる。
【００２０】
図２、図３に示すように、前身頃１０５及び後身頃１０６は、両者によって、内部に空気をためることが可能な１つの袋状の膨張体１２０を収容している。膨張体１２０は、萎んだ状態で収容されており、内部に空気が注入されることで均一な内部圧力が作用し膨張する。これにより、着用者２の下半身が加圧される。図２に示すように、膨張体１２０は、前身頃１０５に形成された第１開口１０５ａ及び第２開口１０５ｂを避ける形状をしており、着用者２の下腹部を加圧する下腹加圧部１２０ａと、着用者２の左大腿を加圧する大腿加圧部１２０ｂと、着用者２の左下腿を加圧する下腿加圧部１２０ｃとを有している。なお、膨張体１２０は、当然、右大腿や右下腿を加圧する加圧部も有する。また、図３に示すように、膨張体１２０は、大腿加圧部１２０ｂから延びた、着用者２のでん部（特に下半身のでん部の略側部）を加圧する延出部１２０ｄを有している。延出部１２０ｄは、膨らんだときに棒状となる。
【００２１】
膨張体１２０は、同様の形状に形成された表地と裏地とを重ね合わせ、その外縁を接合することで、内部に空気をためることのできる空間が形成されている。なお、膨張体１２０は、表地が加圧パンツ１００の外側を向くように、裏地が加圧パンツ１００の裏側を向くように配される。
【００２２】
膨張体１２０の大腿加圧部１２０ｂには、膨張体１２０を構成する表地の一部と裏地の一部とが密着した、図中縦方向（着用者の脚が延びる方向）に沿って接合された接合部１１５が形成されている。このような接合部１１５は、例えば、膨張体１２０を構成する表地と裏地とを、溶着することにより形成することができる。これにより、大腿加圧部１２０ｂは、接合部１１５によって区分けされた二つの内部空間を形成するように２つの膨張部に分割されている。また、膨張体１２０の下腿加圧部１２０ｃにも同様に、膨張体１２０を構成するシートの一部が密着した、図中縦方向（着用者の脚が延びる方向）に沿って接合された接合部１１６が形成されている。接合部１１６も、例えば、膨張体１２０を構成する表地と裏地とを、一部重ね合わせて溶着することにより形成することができる。これにより、下腿加圧部１２０ｃは、接合部１１６によって区分けされた二つの内部空間を形成するように２つの膨張部に分割されている。
【００２３】
給排気ホース１１０は、膨張体１２０の下腹加圧部１２０ａに接続されている。給排気装置（不図示）から送り出された空気は、給排気ホース１１０を介して膨張体１２０の下腹加圧部１２０ａに注入される。なお、下腹加圧部１２０ａの内部空間、大腿加圧部１２０ｂの内部空間、下腿加圧部１２０ｃの内部空間、及び延出部１２０ｄの内部空間は、互いにつながっている。そのため、下腹加圧部１２０ａに注入された空気は、やがて、大腿加圧部１２０ｂ、下腿加圧部１２０ｃ、及び延出部１２０ｄにまで注入されて、これにより膨張体１２０全体が膨張する。このように、１本の給排気ホース１１０を介して注入された空気は、膨張体１２０全体の内部空間に行き渡る。
【００２４】
図４は、加圧パンツ１００を、矢視ＩＶ−ＩＶからみた断面図である。また、図５は、本発明の実施形態に係る加圧パンツに用いられた補強布を示した概略図である。
【００２５】
図４に示すように、加圧パンツ１００は、前身頃１０５と後身頃１０６とが線ファスナ１０７で留められることで、着用者２の脚１２６を通すための筒部１０８が形成されている。前身頃１０５は、加圧パンツ１００の表面から、表地１２１、補強布１２５、裏地１２２の順にこれらが重ね合わされて構成されている。膨張体１２０は、表地１２０ｅ及び裏地１２０ｆを有し、補強布１２５と裏地１２２との間に収容されている。一方、後身頃１０６は、加圧パンツ１００の表面から、表地１２１、補強布１２５の順にこれらが重ね合わされて構成されている。
【００２６】
補強布１２５は、例えば、アラミド繊維からなる織物である。補強布１２５は、図５に示すように、縦糸１２５ａ及び横糸１２５ｂに加え、縦糸１２５ａと横糸１２５ｂとの交差部を接続する二方向に延びる斜糸１２５ｃ、１２５ｄを織ることによって構成されている。このように、縦糸１２５ａ及び横糸１２５ｂに加えて、斜糸１２５ｃ、１２５ｄを配置することにより、補強布１２５の引張強度を高めることができる。また、補強布１２５が種々の方向（特に、斜糸１２５ｃ、１２５ｄが延びる方向）から引っ張られたとしても、引張りに対する伸びは低減され、補強布１２５の初期形状が保持されやすい。
【００２７】
上述したように、前身頃１０５において、補強布１２５は、膨張体１２０よりも表側（外側）に設けられている。そのため、空気が注入されて膨張体１２０が膨張したとしても、補強布１２５により前身頃１０５の表側（前方）への膨らみは抑制される。また、後身頃１０６の内側にも、着用者の脚１２６に接触する補強布１２５が設けられている。そのため、前身頃１０５に設けられた膨張体１２０の膨張による、後身頃１０６の伸びを抑制することができる。このように、前身頃１０５及び後身頃１０６に補強布１２５を設けることで、膨張した膨張体１２０による加圧パンツ１００全体の表側への膨らみが抑制される。従って、その分膨張体１２０は、内側に向かって膨らみ、着用者の脚１２６を素早く加圧することができる。これにより、着用者の下半身を、より効果的に（素早く所望の圧力で）加圧することが可能となる。なお、後身頃１０６には、延出部１２０ｄが設けられている。そのため、後身頃１０６に設けられた補強布１２５は、延出部１２０ｄが設けられた部分のみ、延出部１２０ｄよりも表側（外側）に設けられている。
【００２８】
なお、補強布１２５は、着用者２の下腿だけでなく、加圧パンツ１００のほぼ全面に設けられている。そのため、空気が注入されて膨張体１２０全体が膨張したとしても、補強布１２５により加圧パンツ１００の表側への膨らみは抑制され、着用者２の下半身を効果的に加圧することが可能となる。
【００２９】
また、図２に示すように、図中縦方向（着用者の脚が延びる方向）に沿って膨張体１２０を構成するシートを重ねて接合した、線状の接合部１１５、１１６を形成することで、膨張した膨張体１２０を、接合部１１５、１１６の形成位置で容易に折れ曲がらせることができる。これにより、例えば図４に示すように、膨張した膨張体１２０の形状を、脚１２６の表面に沿った形状とすることが可能となる。これにより、着用者の下半身を効果的に加圧（十分な加圧面積を確保）することが可能となる。仮に、膨張体に接合部を設けない場合、膨張体は湾曲せず直線状に膨らむため、着用者の体表面から離れた部位が生じやすくなる。そのため、加圧する面積を大きくするため、膨張体に接合部を設けた方がよい。また、接合部１１５、１１６を設けて膨張体１２０を下半身（脚）の周方向に小分けにすることで、その分、膨張体１２０全体の内部空間を小さくすることができ、膨張体１２０内の圧力を所望の圧力に素早く高めることができる。これにより、着用者の下半身を効果的に加圧（素早い加圧）することが可能となる。
【００３０】
次に、図３に示す、大腿加圧部１２０ｂから延び、着用者２のでん部を加圧するための延出部１２０ｄの詳細と、この延出部１２０ｄの後身頃１０６への取付態様について説明する。図６は、図３中の“ＶＩ部”に着目した図であり、（ａ）は延出部１２０ｄが取り外されている状態、（ｂ）は収縮した延出部１２０ｄが取り付けられている状態、（ｃ）は取り付けられた延出部１２０ｄが膨張している状態を示した図である。
【００３１】
図６（ａ）に示すように、後身頃１０６には、３本の紐体１２７が並列した状態で取り付けられている。紐体１２７は、図に示すように、帯状に形成されたものである。紐体１２７の一端は、後身頃１０６に縫い付けられた縫付部１２７ａを構成する。また、紐体１２７の他端は、後身頃１０６に縫い付けられた縫付部１２７ｂを構成する。縫付部１２７ａと縫付部１２７ｂとは、図中縦方向に距離Ｌ１、図中横方向に距離Ｌ２、互いに離間した位置に縫い付けられている。また、紐体１２７は、縫付部１２７ａに対して縫付部１２７ｂが３６０度回転した状態（紐体１２７がねじれた状態）で、後身頃１０６に取り付けられている。なお、図６（ａ）に示す３本の紐体１２７は、例えば等間隔に配置されており、互いに同様の構成を有しいている。
【００３２】
加圧パンツ１００の使用時には、図６（ａ）に示す状態から、３本の紐体１２７それぞれが形成する各ループ１２７ｃに、収縮した膨張体１２０の延出部１２０ｄを挿通する（図６（ｂ））。これにより、縫付部１２７ａと縫付部１２７ｂとは、図中縦方向に距離Ｌ１´、図中横方向に距離Ｌ２´、互いに離間した状態となる。距離Ｌ１´は、図６（ａ）で示す距離Ｌ１よりも小さく、距離Ｌ２´は、図６（ａ）で示す距離Ｌ２よりも小さい。
【００３３】
図６（ｂ）に示す状態から、給排気ホース１１０（図２）を介して膨張体１２０に空気を注入する。これにより、図６（ｃ）に示すように、膨張体１２０の延出部１２０ｄは膨張する。これにより、３本の紐体１２７が形成する各ループ１２７ｃには、延出部１２０ｄから押し拡げられる力が作用し、各ループ１２７ｃは拡大する。このように、延出部１２０ｄが膨張して３本の紐体１２７のループ１２７ｃが拡大することにより、図６（ｂ）に示すように、後身頃１０６は、縫付部１２７ａを介して力Ｆ１で引っ張られる。同様に、後身頃１０６は、縫付部１２７ｂを介して力Ｆ２で引っ張られる。これにより、図６（ｃ）に示すように、延出部１２０ｄが膨張すると、縫付部１２７ａと縫付部１２７ｂとは、図中縦方向に距離Ｌ１´´、図中横方向に距離Ｌ２´´だけ互いに離間した状態となる。
【００３４】
紐体１２７を帯状とすることで、延出部１２０ｄが膨張すると、押し拡げる力を紐体１２７に効率的に伝えることができる。仮に、紐体１２７が帯状となっていないとき（例えば、幅が極めて細い場合など）には、紐体１２７が膨張した延出部１２０ｄに食い込み、帯状のときよりも、押し拡げる力を紐体１２７に効率的に伝えることができない（ある程度伝えることはできる）。
【００３５】
なお、図６（ｂ）に示すように、後身頃１０６に作用する力Ｆ１と力Ｆ２とは、縫付部１２７ａと縫付部１２７ｂとの離間距離を小さくする方向に作用する。また、力Ｆ１が作用する方向及び力Ｆ２が作用する方向は、複数の紐体１２７が配列する方向、すなわち延出部１２０ｄが延びる方向（図中横方向）と直交していない。これにより、力Ｆ１が作用する方向及び力Ｆ２が作用する方向は、図中縦方向からずれた方向を向いている。そのため、延出部１２０ｄ膨張後の、図中縦方向の離間した距離Ｌ１´´は、図６（ｂ）で示す距離Ｌ１´よりも小さな値とすることができるとともに、図中横方向の離間した距離Ｌ２´´は、図６（ｂ）で示す距離Ｌ２´よりも小さな値とすることができる。
【００３６】
このように、延出部１２０ｄが膨張することにより、縫付部１２７ａと縫付部１２７ｂの離間距離は、図中縦方向及び図中横方向において小さくなる。なお、縫付部１２７ａ及び縫付部１２７ｂは、後身頃１０６に縫い付けられている。そのため、縫付部１２７ａ及び縫付部１２７ｂの離間距離が小さくなった分だけその間の後身頃１０６の部分はたわむ。この後身頃１０６に生じたたわみにより、加圧パンツ１００のでん部周辺部の周長が短くなる。これにより、膨張部１２０におけるでん部周辺部や延出部１２０ｄは、着用者２の下半身を効率的に加圧できる。したがって、着用者のでん部周辺をより素早く加圧することができ、より効果的な加圧が可能となる。
【００３７】
なお、このような膨張体１２０への空気の注入と、膨張体１２０内部の空気の排出とは、着用者に作用している加速度Ｇに基づいて、給排気装置（不図示）が実行している。例えば、着用者に大きな加速度Ｇが作用していることを検知すると、給排気装置（不図示）は、所望の送気圧となるまで膨張体１２０へ空気を注入する。一方、着用者に作用している加速度Ｇが小さなものとなると、給排気装置（不図示）は、膨張体１２０内の空気を排気し、膨張体１２０を通常の収縮した状態に復帰させる。
【００３８】
以上説明したように、本発明の実施形態に係る加圧パンツ１００においては、縦糸１２５ａ及び横糸１２５ｂに加え、斜糸１２５ｃ、１２５ｄによってが織られた補強布１２５を用いて、膨張体１２０が膨張した際の加圧パンツ１００の外側（表側）への膨らみ（特に生地が伸びて外側に膨らんでしまうこと）を抑制している。これにより、着用者の下半身を素早く加圧することができ、着用者の下半身を効果的に（素早く所望の圧力で）加圧することが可能となる。
【００３９】
また、膨張体１２０の大腿加圧部１２０ｂ及び下腿加圧部１２０ｃに、線状の接合部１１５、１１６を形成することで、膨張した膨張体１２０を、接合部１１５、１１６の形成位置で容易に折れ曲がらせることができる。これにより、膨張した膨張体１２０の形状を、着用者の体の形状にあったものにすることが可能となる。これにより、着用者の下半身を効果的に加圧すること（膨張体１２０が膨張することにより高められた圧力を効率的に着用者の下半身に伝達すること）が可能となる。
【００４０】
また、接合部１１５、１１６を設けて膨張体１２０を下半身（脚）の周方向に小分けにすることで、その分、膨張体１２０全体の内部空間を小さくすることができ、膨張体１２０内の圧力を所望の圧力に素早く高めることができる。これにより、着用者の下半身を効果的に加圧（素早い加圧）することが可能となる。
【００４１】
また、後身頃１０６に、ループ１２７ｃを有する３本の紐体１２７を並列した状態で取り付け、これらのループ１２７ｃに収縮した膨張体１２０の延出部１２０ｄを挿通させている。延出部１２０ｄが膨張することにより、縫付部１２７ａと縫付部１２７ｂの離間距離は、図中縦方向及び図中横方向において小さくなる。なお、縫付部１２７ａ及び縫付部１２７ｂは、後身頃１０６に縫い付けられている。そのため、縫付部１２７ａ及び縫付部１２７ｂの離間距離が小さくなった分だけその間の後身頃１０６の部分はたわむ。このたわみにより、加圧パンツ１００のでん部周辺部の周長が短くなる。これにより、膨張部１２０におけるでん部周辺部や延出部１２０ｄは、着用者２の下半身を効率的に加圧できる。したがって、着用者のでん部周辺をより素早く加圧することができ、より効果的な加圧が可能となる。特に、後身頃１０６や前身頃１０５の生地の伸びや縫合部分の伸び（縫合部分を引き裂く方向への伸び）などがあったとしても、加圧パンツ１００のでん部周辺部の周長が短くなることで、着用者のでん部周辺をより素早く加圧することができ、より効果的な加圧が可能となる。
【００４２】
このように、本発明の実施形態に係る加圧パンツ１００においては、膨張体１２０の十分な加圧面積を確保しつつ、膨張体１２０の内部圧力を素早く所望の圧力まで高めることができる（後身頃１０６や前身頃１０５の生地の伸びや縫合部分の伸び（縫合部分を引き裂く方向への伸び）などで加圧が効率的にならない、所望の圧力での加圧を得るまでに時間がかかるといった不都合を抑制できる）。これにより、着用者の下半身を効果的に加圧することが可能となる。
【００４３】
この発明は、上記実施の形態に限定されず、様々な変形及び応用が可能である。上記の実施形態では、膨張体の大腿加圧部、及び下腿加圧部に形成された接合部は、溶着することにより形成できると説明したが、例えば、接着材を用いて膨張体を構成するシートを接合してもよいし、膨張体を縫い合わせることにより、接合部を形成してもよい。
【００４４】
また、膨張体の下腹加圧部には、接合部を設けていない形態について説明したが、下腹加圧部に接合部を設け、膨張体の下腹加圧部を着用者の下腹部に確実に密着させて、効果的に加圧するような構成を採用してもよい。また、膨張体に設ける接合部の本数は上記形態に限定されるものではなく、より多くの接合部を加圧対象である下腹部あるいは脚部の周方向に沿って配列するようにして、複数の膨張部に分割してもよい。また、着用者の脚が延びる方向と直交する方向に沿って、接合部を形成してもよいし、接合部をぎざぎざの形状で形成してもよい。
【００４５】
また、膨張体が膨張するに際し、注入されるものは空気であると記載した。しかしながら、空気に限定されるものではなく、その他の気体や液体などの流体を注入して膨張体を膨張させてもよい。
【００４６】
また、膨張体の延出部が挿通される複数の紐体は、図６に示すように、直線的に配列されているものとして説明したが、例えば、曲線的に配列するような態様で加圧パンツに取り付けてもよい。この場合、紐体に挿通される延出部も、紐体の配列態様に沿って曲線状に延ばした状態で取り付けられる。また、複数の紐体は、等間隔に取り付ける必要はなく、例えば、曲線的に紐体を配置した場合、曲線部により密に取り付ける構成であってもよい。
【００４７】
また、上記の実施形態では、複数の紐体を配置して、延出部を挿通する箇所は、着用者のでん部あると説明した。しかしながら、その他の箇所に、このような構成を採用してもよい。
【００４８】
また、上記の実施形態では、複数の紐体は、後身頃に縫い付けられている説明した。しかしながら、紐体は、縫い付けられている必要はなく、何らかの形で後身頃に取り付けられていればよい。また、紐体が後身頃に取り付けられている箇所は、表地であってもよいし、補強布であってもよい。また、後身頃の構成要素にその他の構成がある場合には、その構成に取り付ける態様であってもよい。
【００４９】
また、上記の実施形態では、長ズボンタイプの加圧パンツについて説明したが、例えば、下腹部に着用する部分と脚に着用する部分とが分かれたセパレートタイプのものであってもよい。また、加圧パンツに上着が一体となった、つなぎのような形状（所謂、耐Ｇスーツの形状）を有するものであってもよい。このように、本発明に係る加圧パンツは、着用者の下半身を加圧するための衣服であればよく、長ズボンタイプの形状を有するものに限定されない。
【００５０】
また、上記の実施形態では、延出部が膨張体の一部である場合について説明した。しかし、膨張体を紐体のループに挿通される延出部（紐体のループに挿通される部分）のみとしてもよい。
【００５１】
なお、膨張体は、通常、合成樹脂、ゴム等によって形成されるが、表地、裏地が一体的に形成されたものであってもよい。この場合、表地が加圧パンツの表側、裏地が加圧パンツの裏側に配された部分とする。
【００５２】
また、上記実施形態においては、加圧パンツに、内部空間がつながった１つの膨張体を収容した場合について説明したが、内部空間が物理的に分離した複数の膨張体を配置してもよい。この場合、複数の膨張体のそれぞれに、給排気ホースを接続する構成であってもよいし、加圧パンツ内で複数の膨張体を互いに給排気ホースで接続する構成を採用してもよい。
【００５３】
また、上記実施形態のように、縫付部１２７ａ及び縫付部１２７ｂの離間距離が小さくなった分だけその間の後身頃１０６の部分がたわんだとしても、後身頃１０６や前身頃１０５の生地の伸びや縫合部分の伸び（縫合部分を引き裂く方向への伸び）により、結果として、加圧パンツ１００のでん部周辺部の周長が変わらない又は伸びがわずかであってもよい。また、膨張部１２０の膨らみなどによって、後身頃１０６の部分をたわます必要はない。これらによっても着用者２の下半身を効率的に加圧できる。これにより、着用者のでん部を素早く加圧することができ、効果的な加圧が可能となる。
【符号の説明】
【００５４】
２      着用者
１００      加圧パンツ
１０５      前身頃
１０６      後身頃
１０７      線ファスナ
１１０      給排気ホース
１１５      接合部
１１６      接合部
１２０      膨張体
１２０ａ      下腹加圧部
１２０ｂ      大腿加圧部
１２０ｃ      下腿加圧部
１２０ｄ      延出部
１２５      補強布
１２７      紐体
【要約】
【課題】着用者の下半身を効果的に加圧することができる加圧パンツを提供する。
【解決手段】膨張することで着用者の下半身を加圧する膨張体１２０と、加圧パンツ１００の第１箇所１２７ａと、第１箇所１２７ａに離間した第２箇所１２７ｂとに固定され、膨張体１２０の少なくとも一部が通るループ１２７ｃを形成する紐体１２７と、を備える加圧パンツ１００である。膨張体１２０が膨張したときに、紐体１２７のループ１２７ｃを押し拡げる力を作用させて、第１箇所１２７ａと第２箇所１２７ｂとを、両者の離間距離を小さくする方向に引っ張る構造とする。
【選択図】図３【図１】
0006042497.tif 000002
【図２】
0006042497.tif 000003
【図３】
0006042497.tif 000004
【図４】
0006042497.tif 000005
【図５】
0006042497.tif 000006
【図６】
0006042497.tif 000007